(57)【要約】      （修正有）【課題】親機及び複数の増設親機間の配線の自由度を高め、当該配線の線路長を小さくして各種信号の送受信時の対ノイズ性を高め、配線のインピーダンス整合を行う終端抵抗の設定及びその確認を容易とする。【解決手段】親機２ａに個別のラインＬ2a、Ｌ2bを経由して複数の増設親機３ａ、３ｂをスター配線で接続する際、子機１ａからの映像信号を個別のラインに送出する映像出力回路２０５ａ、２０５ｂと、映像出力回路からの映像信号の相互干渉を抑え、個別のラインとの間で送受信される音声信号及びデータ信号をバス形式で行うフィルタ回路２０８ａ、２０８ｂとを個別のラインが接続される親機ライン接続端子２０３ａ、２０３ｂの端子数に対応して親機に備える。また増設親機は、増設ライン接続端子３０３、３０４に接続される個別のラインのインピーダンス整合を行う終端抵抗設定回路３１０を備え、この設定状況を読み出す親機制御部２０９を備える。【選択図】図２
2011055059.tif 000002
【特許請求の範囲】
【請求項１】
親機（２ａ、２ｂ）に個別のライン（Ｌ2a、Ｌ2b）を経由して複数の増設親機（３ａ、３ｂ）をスター配線で接続し、子機（１ａ、１ｂ）のカメラ（１０１）にて撮像された映像信号を前記親機の親機モニタ（２００）及び前記増設親機の増設モニタ（３００）にそれぞれ出画させ、前記子機の通話部（１０２）と前記親機の通話部（２０２）又は前記増設親機の通話部（３０３）との間で音声信号を送受信して通話を行うインターホンシステムであって、
前記親機は、前記子機からの前記映像信号を前記個別のラインに送出するための映像信号出力回路（２０５ａ、２０５ｂ）と、前記映像出力回路からの前記映像信号の相互干渉を抑えるとともに前記個別のラインとの間で送受信される前記音声信号及びデータ信号をバス形式で行うためのフィルタ回路（２０８ａ、２０８ｂ）とを備え、
前記映像信号出力回路及び前記フィルタ回路はそれぞれ、前記個別のラインが接続される親機ライン接続端子（２０３ａ、２０３ｂ）の端子数に対応して設けられることを特徴とするインターホンシステム。
【請求項２】
前記増設親機は、増設ライン接続端子（３０３、３０４）に接続される前記個別のラインのインピーダンス整合を行う終端抵抗を設定するための終端抵抗設定回路（３１０）を備え、
前記親機は、前記増設親機の前記終端抵抗設定回路の設定状況を読み出すための親機制御部（２０９）を備えることを特徴とする請求項１記載のインターホンシステム。
【請求項３】
前記子機は、複数設けられ、
前記親機は、前記複数の子機から前記映像信号出力回路への前記映像信号の出力を切り換えるための映像切換回路（２１１）と、前記映像切換回路を制御するための親機制御部（２０９）とを備えることを特徴とする請求項１記載のインターホンシステム。
【発明の詳細な説明】
【技術分野】
【０００１】
本発明は、インターホンシステムに係り、特に、親機及び増設親機の間を接続する配線の自由度を高め、多種・多様な住宅の形態に対応することが可能なインターホンシステムに関する。
【背景技術】
【０００２】
従来から、この種のインターホンシステムとして、図４のシステム構成図に示すように、親機５０２に渡り配線Ｌ501で複数の増設親機５０３ａ、５０３ｂを順次接続し、この親機５０２に接続される子機５０１のカメラ５１０にて撮像された映像信号を当該親機の親機モニタ５２０及び増設親機５０３ａ、５０３ｂの増設モニタ５３０にそれぞれ出画させ、子機５０１の通話部５１１と、親機５０２の通話部５２１及び増設親機５０３ａ、５０３ｂの通話部５３１のうち何れか１の当該通話部との間で音声信号を送受信して通話を行うインターホンシステムが開示されている（例えば、特許文献１を参照。）。
【先行技術文献】
【特許文献】
【０００３】
【特許文献１】特開２００５−１５９８９０号公報
【発明の概要】
【発明が解決しようとする課題】
【０００４】
しかしながら、背景技術に記載したインターホンシステムの親機５０２には、当該増設親機を接続する端子として、複数の増設親機５０３ａ、５０３ｂのうち最上流の増設親機５０３ａを渡り配線Ｌ501で接続する単一のライン接続端子５２２が備えられているため、例えば、３階建ての２世帯住宅やオフィス等のように、渡り配線Ｌ501で接続される複数の増設親機５０３、５０３ｂの設置距離が大きい場合、その配線の線路長が長くなり、音声信号、データ信号等の各種の信号の送受信を行うにあたっての耐ノイズ性や、当該システムの施工性が低下していた。
【０００５】
また、複数の増設親機５０３ａ、５０３ｂのうち最下流の増設親機５０３ｂにおいて渡り配線Ｌ501のインピーダンス整合を行うにあたっては、例えば、当該システムの施工時において終端抵抗を設定する必要があり、その設定に誤りが発生した場合、子機５０１から親機５０２、渡り配線Ｌ501、増設親機５０３ａ、渡り配線Ｌ501を順次経由して最下流の増設親機５０３ｂに映像信号を伝送させるにあたり、その伝送動作に異常が発生する虞があった。
【０００６】
さらに、親機５０２の親機モニタ５２１及び複数の増設親機５０３ａ、５０３ｂの増設モニタ５３１にて出画される映像信号は、単一台である子機５０１のカメラ５１１にて撮像される映像であることから、この子機５０１が複数設けられて親機５０２に接続される場合であっても、親機５０２から渡り配線Ｌ501を経由して複数の増設親機５０３ａ、５０３ｂに伝送される映像信号は、複数の子機５０１、５０１のカメラ５１１のうち何れか１の当該カメラにて撮像される共通の映像となり、そのモニタ出画を確認するユーザーである居住者にとっては、自らが望む映像の切り換えを行うことができず、利便性が低下していた。
【０００７】
本発明は、これらの難点を解消するためになされたもので、親機及び複数の増設親機の間の配線の自由度を高めるとともに当該配線の線路長を小さくして各種信号の送受信時における対ノイズ性を高め、また配線のインピーダンス整合を行うための終端抵抗の設定及びその確認を容易とし、さらには増設親機にモニタ出画される映像信号の切り換え・選択を可能としてユーザーの利便性を高めたインターホンシステムを提供することを目的としている。
【課題を解決するための手段】
【０００８】
前述の目的を達成するため、本発明の第１の態様であるインターホンシステムは、親機に個別のラインを経由して複数の増設親機をスター配線で接続し、子機のカメラにて撮像された映像信号を親機の親機モニタ及び増設親機の増設モニタにそれぞれ出画させ、子機の通話部と親機の通話部又は増設親機の通話部との間で音声信号を送受信して通話を行う当該システムであって、親機は、子機からの映像信号を個別のラインに送出するための映像出力回路と、映像出力回路からの映像信号の相互干渉を抑えるとともに個別のラインとの間で送受信される音声信号及びデータ信号をバス形式で行うためのフィルタ回路とを備えている。映像出力回路及びフィルタ回路はそれぞれ、個別のラインが接続される親機ライン接続端子の端子数に対応して設けられるものである。
【０００９】
このようなインターホンシステムによれば、親機及び複数の増設親機の間の配線の自由度が高められ、その施工性も向上するばかりでなく、当該配線の線路長が小さくなり各種信号の送受信時における対ノイズ性を高めることができる。
【００１０】
また、本発明の第２の態様であるインターホンシステムは、本発明の第１の態様において、増設親機は、増設ライン接続端子に接続される個別のラインのインピーダンス整合を行う終端抵抗を設定するための終端抵抗設定回路を備えている。親機は、増設親機の終端抵抗設定回路の設定状況を読み出すための親機制御部を備えている。
【００１１】
このようなインターホンシステムによれば、複数の増設親機にそれぞれ接続される個別のラインのインピーダンス整合を行う終端抵抗の設定状況を親機にて確認するにあたり、その確認が容易となる。
【００１２】
また、本発明の第３の態様であるインターホンシステムは、本発明の第１の態様において、子機は、複数設けられており、親機は、複数の子機から映像出力回路への映像信号の出力を切り換えるための映像切換回路と、映像切換回路を制御するための親機制御部とを備えている。
【００１３】
このようなインターホンシステムによれば、複数の子機のカメラにて撮像され複数の増設親機にモニタ出画される映像信号の切り換え・選択が可能となり、ユーザーの利便性が高められる。
【発明の効果】
【００１４】
本発明のインターホンシステムによれば、３階建ての２世帯住宅やオフィス等のように、複数の増設親機間の設置距離が離れている場合においても効率よく配線することができ、個別のラインを経由して親機に接続する配線は、渡り配線と比較して線路長が短く当該配線の自由度が高められ施工性も向上するばかりでなく、各種のデータ信号や音声信号の送受信動作のみならず、映像信号の送信動作に何ら影響を与えずに対ノイズ性が高められる。
【００１５】
また、当該システムの施工業者は、複数の増設親機に接続される個別のラインのインピーダンス整合を行う終端抵抗の設定を親機にて確認するにあたり、その確認が容易となるばかりでなく、異常を確認した場合には、再設定等の迅速な対応が可能となる。
【００１６】
さらに、複数の子機のカメラにて撮像される映像をモニタ出画させる増設親機の切り換え・選択が可能となり、その映像を確認するユーザーの利便性が高められる。
【図面の簡単な説明】
【００１７】
【図１】図１（Ａ）は、本発明の第１の実施例によるインターホンシステムの全体構成を示すシステム構成図であり、図１（Ｂ）は、本発明の第２の実施例によるインターホンシステムの全体構成を示すシステム構成図である。
【図２】図２は、本発明の第１の実施例によるインターホンシステムの具体的な構成を示すブロック図である。
【図３】図３は、本発明の第２の実施例によるインターホンシステムの具体的な構成を示すブロック図である。
【図４】図４は、背景技術に記載した従来例によるインターホンシステムの全体構成を示すシステム構成図である。
【発明を実施するための最良の形態】
【００１８】
以下、本発明のインターホンシステムを適用した最良の実施の形態例について、図面を参照して説明する。
【００１９】
図１（Ａ）は、本発明の第１の実施例によるインターホンシステムの全体構成を示すシステム構成図である。このインターホンシステムは、子機１ａと、子機／親機ラインＬ1aを経由して子機１ａに接続される親機２ａと、個別のラインを経由して親機２ａにスター配線で接続される複数の当該増設親機、ここでは、個別の親機／増設ライン（以下、第１、第２の各親機／増設ラインという。）Ｌ2a、Ｌ2bを経由して親機２ａにスター配線で接続される２台の増設親機（以下、第１、第２の各増設親機という。）３ａ、３ｂとが設けられている。
【００２０】
ここで、子機１ａは、３階建ての２世帯住宅やオフィス等の住戸外、例えば、住戸玄関に設置されるものであり、来訪者が住戸内に在室中の居住者を呼び出すために操作する例えば、呼出ボタンにて構成される子機操作部１００と、呼出操作を行った来訪者や住戸外の周囲近傍の映像を撮像するための例えば、ＣＣＤ、ＣＭＯＳ等の各種の映像撮像媒体にて構成されるカメラ１０１と、来訪者が居住者との間で通話を成立させるための音声信号を入出力する例えば、マイク、スピーカにて構成される子機通話部１０２とを有している。
【００２１】
また、親機２ａは、３階建ての２世帯住宅やオフィス等の住戸内の例えば、２階部に設置されるものであり、子機１ａのカメラ１０１にて撮像された映像（映像信号）を出画するための例えば、ＬＣＤ、ＰＤＰ、有機ＥＬディスプレイ等の各種の出画表示媒体にて構成される親機モニタ２００と、来訪者による子機１ａからの呼び出しがあることを呼出報知するとともに、居住者が来訪者との間で通話を成立させるための音声信号を入出力する例えば、マイク、スピーカにて構成される親機通話部２０１と、来訪者による子機１ａからの呼び出しがあることを確認した居住者が応答して親機通話部２０１の使用による通話を成立させるための応答操作、当該成立中の通話を終了するための終話操作、後述する第１、第２の各増設親機３ａ、３ｂにて設定される終端抵抗の設定状況を確認するための確認操作を行う例えば、通話ボタン、タッチパネルにて構成される親機操作部２０２と、第１、第２の各親機／増設ラインＬ2a、Ｌ2bを接続するための親機ライン接続端子（以下、第１、第２の各親機ライン接続端子という。）２０３ａ、２０３ｂとを有している。
【００２２】
さらに、第１、第２の各増設親機３ａ、３ｂは同様な構成であって、３階建ての２世帯住宅やオフィス等の住戸内において前述の親機２とは異なる例えば、１階部、３階部にそれぞれ設置されるものであり、子機１ａのカメラ１０１にて撮像された映像（映像信号）を出画するための例えば、ＬＣＤ、ＰＤＰ、有機ＥＬディスプレイ等の各種の出画表示媒体にて構成される増設モニタ３００と、来訪者による子機１ａからの呼び出しがあることを呼出報知するとともに、居住者が来訪者との間で通話を成立させるための音声信号を入出力する例えば、マイク、スピーカにて構成される増設通話部３０１と、来訪者による子機１ａからの呼び出しがあることを確認した居住者が応答して増設通話部３０１の使用による通話を成立させるための応答操作、当該成立中の通話を終了するための終話操作、自増設親機に接続される第１、第２の各親機／増設ラインＬ2a、Ｌ2bのインピーダンス整合を行う終端抵抗を設定する設定操作のための例えば、通話ボタン、タッチパネル、トグルスイッチ（図示せず。）にて構成される増設操作部３０２と、第１、第２の各親機／増設ラインＬ2a、Ｌ2bを接続するための増設ライン接続端子３０３と、自増設親機（の下流側）に別途の当該増設親機を接続するための増設ライン接続端子３０４とを有している。
【００２３】
なお、本発明の第１の実施例及び後述する第２の実施例において、第１、第２の各増設親機３ａ、３ｂは最下流の終端機器であるとし、増設ライン接続端子３０４には、何らライン接続されていないものとする。
【００２４】
次に、図１（Ａ）に示すインターホンシステムの具体的な構成について、図２のブロック図を参照して説明する。
【００２５】
図２に示す親機２ａには、前述の親機モニタ２００、親機通話部２０１、親機操作部２０２及び第１、第２の各親機ライン接続端子２０３ａ、２０３ｂと、親機映像復調回路２０４と、映像出力回路（以下、第１、第２の各映像出力回路という。）２０５ａ、２０５ｂと、親機データ送受信回路２０６と、親機ハイブリッド回路２０７と、親機フィルタ回路（以下、第１、第２の各親機フィルタ回路という。）２０８ａ、２０８ｂと、親機制御部２０９と、親機インターフェース回路（以下、親機Ｉ／Ｆという。）２１０とが備えられている。
【００２６】
この親機２ａにおいて、親機映像復調回路２０４は、図１（Ａ）に示す子機１ａのカメラ１０１にて撮像・変調された後、子機／親機ラインＬ1a、親機Ｉ／Ｆ２１０を順次経由して伝送されてくる映像信号を復調し、親機モニタ２００に出画させるためのものである。また、第１、第２の各映像出力回路２０５ａ、２０５ｂは、第１、第２の各親機ライン接続端子２０３ａ、２０３ｂの端子数、すなわち、２個に対応して設けられ、図１（Ａ）に示す子機１ａのカメラ１０１にて撮像・変調された後、子機／親機ラインＬ1a、親機Ｉ／Ｆ２１０を順次経由して伝送されてくる映像信号を、第１、第２の各親機ライン接続端子２０３ａ、２０３ｂに送出するためのものである。
【００２７】
親機データ送受信回路２０６は、図１（Ａ）に示す子機１ａにて生成・変調された後、子機／親機ラインＬ1a、親機Ｉ／Ｆ２１０を順次経由して伝送されてくるデータ信号、又は親機ハイブリッド回路２０７を経由して受信された第１、第２の各増設親機３ａ、３ｂからのデータ信号を復調し、親機制御部２０９に送出するとともに、親機制御部２０９にて生成されるデータ信号を変調し、親機ハイブリッド回路２０７又は親機Ｉ／Ｆ２１０に送出するためのものである。
【００２８】
親機ハイブリッド回路２０７は、親機通話部２０１及び親機Ｉ／Ｆ２１０の間で送受信される音声信号の信号伝送路と、第１、第２の各親機フィルタ回路２０８ａ、２０８ｂ及び親機Ｉ／Ｆ２１０の間で送受信される音声信号の信号伝送路と、親機データ送受信回路２０６及び第１、第２の各親機フィルタ回路２０８ａ、２０８ｂの間で送受信されるデータ信号の信号伝送路とをそれぞれ形成するにあたり、送受信される音声信号及びデータ信号を２線−４線（４線−２線）変換や増幅し、その送受信の動作をハイ・インピーダンスで行うものである。また、第１、第２の各親機フィルタ回路２０８ａ、２０８ｂは、前述の第１、第２の各映像出力回路２０５ａ、２０５ｂと同様、第１、第２の各親機ライン接続端子２０３ａ、２０３ｂの端子数、すなわち、２個に対応して設けられ、第１、第２の各映像出力回路２０５ａ、２０５ｂからの映像信号の相互干渉を抑えるとともに、第１、第２の各親機／増設ラインＬ2a、Ｌ2bとの間で送受信される音声信号及びデータ信号をバス形式で行うにあたり、これら音声信号及びデータ信号を通過させるものである。
【００２９】
親機制御部２０９は、当該親機の構成各部を制御するためのものである。また、親機Ｉ／Ｆ２１０は、子機／親機ラインＬ1aから映像復調回路２０４及び第１、第２の各映像出力回路２０５ａ、２０５ｂにそれぞれ送出される映像信号の信号伝送路と、親機データ送受信回路２０６及び子機／親機ラインＬ1aの間で送受信されるデータ信号の信号伝送路と、親機ハイブリッド回路２０７及び子機／親機ラインＬ1a間で送受信される音声信号の信号伝送路とをそれぞれ形成するためのものである。
【００３０】
また、図２に示す第１、第２の各増設親機３ａ、３ｂには、前述の増設モニタ３００、増設通話部３０１、増設操作部３０２及び増設ライン接続端子３０３、３０４と、映像受信回路３０５と、増設映像復調回路３０６と、増設データ送受信回路３０７と、増設ハイブリッド回路３０８と、増設フィルタ回路３０９と、終端抵抗設定部３１０と、増設制御部３１１とが備えられている。
【００３１】
この第１、第２の各増設親機３ａ、３ｂにおいて、映像受信回路３０５は、第１、第２の各親機／増設ラインＬ2a、Ｌ2bを経由して親機２ａから伝送されてくる図１（Ａ）に示す子機１ａのカメラ１０１にて撮像・変調された映像信号を受信するためのものである。また、増設映像復調回路３０６は、映像受信回路３０５にて受信された映像信号を復調して増設モニタ３００に出画させるためのものである。
【００３２】
増設データ送受信回路３０７は、増設ハイブリッド回路３０８を経由して受信される子機１ａ又は親機２からのデータ信号を復調し、増設制御部３１１に送出するとともに、増設制御部３１１にて生成されるデータ信号を変調し、増設ハイブリッド回路３０８に送出するためのものである。
【００３３】
増設ハイブリッド回路３０８は、増設通話部３０１及び増設フィルタ回路３０９の間で送受信される音声信号の信号伝送路と、増設フィルタ回路３０９及び増設制御部３１１の間で送受信されるデータ信号の信号伝送路とをそれぞれ形成するにあたり、送受信される音声信号及びデータ信号を２線−４線（４線−２線）変換や増幅し、その送受信の動作をハイ・インピーダンスで行うものである。また、増設フィルタ回路３０９は、増設ライン接続端子３０３に接続された第１、第２の各親機／増設ラインＬ2a、Ｌ2bと増設ハイブリッド回路３０８との間でバス形式による音声信号及びデータ信号の送受信を行うにあたり、これら音声信号及びデータ信号を通過させるためのものである。
【００３４】
終端抵抗設定回路３１０は、増設ライン接続端子３０３に接続された第１、第２の各親機／増設ラインＬ2a、Ｌ2bのインピーダンス整合を行う終端抵抗を設定するためのものである。また、増設制御部３１１は、当該増設親機の構成各部を制御するためのものであって、例えば、終端抵抗設定回路３１０の設定状況を検出することができる。なお、終端抵抗設定回路３１０の設定状況を検出する機能は、増設制御部３１１から独立させ、別途の回路として設けることもできる。
【００３５】
このように構成された本発明の第１の実施例によるインターホンシステムにおいて、以下、具体的な動作について説明する。
【００３６】
図１（Ａ）、図２にそれぞれ示すように、第１、第２の各親機／増設ラインＬ2a、Ｌ2bを経由して親機２ａにスター配線で接続される第１、第２の各増設親機３ａ、３ｂの計２台の当該増設親機を適用し、これら増設親機３ａ、３ｂが最下流の終端機器である場合、当該システムの施工業者は、その施工時において、増設ライン接続端子３０３に接続された第１、第２の各親機／増設ラインＬ2a、Ｌ2bのインピーダンス整合を行う終端抵抗を設定する必要がある。具体的には、施工業者が増設操作部３０２を使用して所定の設定操作を行い、この操作を検出した増設制御部３１１の制御により、終端抵抗設定回路３１０に記憶されることになる。
【００３７】
この後、当該システムの施工業者は、第１、第２の各増設親機３ａ、３ｂの終端抵抗設定回路３１０の設定状況を確認するにあたって、親機２ａの親機操作部２１１を使用して所定の確認操作を行う。この操作を検出した親機制御部２０９は、確認用データ信号を生成し、親機データ送受信回路２０６、親機ハイブリッド回路２０７を経由して第１、第２の各親機フィルタ回路２０８ａ、２０８ｂに送出する。ここで、第１、第２の各親機フィルタ回路２０８ａ、２０８ｂは、親機制御部２０９からの確認用データ信号を通過させ、第１、第２の各親機ライン接続端子２０３ａ、２０３ｂ、第１、第２の各親機／増設ラインＬ2a、L2b、第１、第２の各増設親機３ａ、３ｂの増設ライン接続端子３０３、増設フィルタ回路３０９、増設ハイブリッド回路３０８を経由して増設制御部３１１にそれぞれ、バス形式で送出する。
【００３８】
第１、第２の各増設親機３ａ、３ｂの増設制御部３１１は、親機２ａの親機制御部２０９からの確認用データ信号を受信すると、終端抵抗設定回路３１０の設定状況を読み出し、読み出された設定状況データ信号を前述の確認用データ信号と逆の信号伝送路を経由して親機２ａの親機制御部２０９に送出する。
【００３９】
親機２ａの親機制御部２０９は、第１、第２の各増設親機３ａ、３ｂの増設制御部３１１からの設定状況データ信号を受信し、その解析結果に基づき例えば、終端抵抗が未設定の当該増設親機が存在している場合や終端抵抗が設定された当該増設親機の台数が第１、第２の各親機ライン接続端子２０３ａ、２０３ｂの端子数よりも多い場合には、終端抵抗の設定時における異常であると判断し、その旨の警報発報を例えば、親機モニタ２００及び親機通話部２０１を使用して行うことができる。具体的には、親機モニタ２００に表示させる警報メッセージや、親機通話部２０１を構成するスピーカから出力させる警報音や音声メッセージが該当する。
【００４０】
前述までの説明から明らかなように、本発明の第１の実施例において当該システムの施工業者は、第１、第２の各増設親機３ａ、３ｂに接続される個別のラインである第１、第２の各親機／増設ラインＬ2a、Ｌ2bのインピーダンス整合を行う終端抵抗の設定を親機２ａにて確認するにあたり、その確認が容易となるばかりでなく、異常を確認した場合には、再設定等の迅速な対応が可能となる。
【００４１】
次に、当該システムの施工が正常に終了した後、３建ての２世帯住宅やオフィス等の住戸玄関に居る来訪者が、住戸内に在室中の居住者を呼び出すにあたり、図１（Ａ）に示す子機１ａの子機操作部１００を使用して所定の呼出操作を行うと、この子機１ａから子機／親機ラインＬ1a、親機２ａの親機Ｉ／Ｆ２１０、親機データ送受信回路２０６を経由して親機制御部２０９に呼出用データ信号が送出され、この呼出用データ信号を受信した親機制御部２０９の制御により、来訪者による子機１ａからの呼び出しがある旨の呼出報知が親機モニタ２００及び親機通話部２０１を使用して行われる。具体的には、親機モニタ２００に表示させる呼出メッセージや、親機通話部２００を構成するスピーカから出力させる呼出音や音声メッセージが該当する。また、親機制御部２０９は、受信した呼出用データ信号を、前述の確認用データ信号と同様な信号伝送路を経由し、バス形式で第１、第２の各増設親機３ａ、３ｂの増設制御部３１１に送出する。
【００４２】
第１、第２の各増設親機３ａ、３ｂの増設制御部３１１は、親機２ａを経由した子機１ａからの呼出用データ信号を受信すると、来訪者による子機１ａからの呼び出しがある旨の呼出報知を増設モニタ３００及び増設通話部３０１を使用して行うことができる。具体的には、増設モニタ３００に表示させる呼出メッセージや、増設通話部３０１を構成するスピーカから出力させる呼出音や音声メッセージが該当する。
【００４３】
また、親機２ａの親機制御部２０９の制御により能動となる子機１ａのカメラ１０１は、呼出操作を行った来訪者や住戸玄関の周囲近傍の映像の撮像を開始し、変調された映像信号を生成する。この映像信号は、子機１ａから子機／親機ラインＬ1a、親機２ａの親機Ｉ／Ｆ２１０を経由して親機映像復調回路２０４に伝送され復調した後、親機モニタ２００に出画されるとともに、同親機Ｉ／Ｆ２１０から第１、第２の各映像出力回路２０５ａ、２０５ｂ、第１、第２の各親機ライン接続端子２０３ａ、２０３ｂ、第１、第２の各親機／増設ラインＬ2a、Ｌ2b、第１、第２の各増設親機３ａ、３ｂの増設ライン接続端子３０３、映像受信回路３０５を経由して増設映像復調回路３０６にて受信され復調した後、増設モニタ３００に出画される。
【００４４】
次に、前述のような呼出報知及び映像のモニタ出画の各動作をもとに、来訪者による子機１ａからの呼び出しがあることを当該来訪者の判別と併せて確認できた居住者は、親機２、第１、第２の各増設親機３ａ、３ｂのうち何れか１の当該機器を使用して所定の応答操作を行い、来訪者との間で通話を成立させることができる。
【００４５】
具体的に、例えば、３階建ての２世帯住宅やオフィス等の住戸内の２階部に居る居住者が、親機２ａの親機操作部２０２を使用して所定の応答操作を行うと、この操作を検出した親機制御部２０９の制御により、居住者が使用する親機通話部２０１から親機ハイブリッド回路２０７、親機Ｉ／Ｆ２１０、子機／親機ラインＬ1aを順次経由して図１（Ａ）に示す子機１ａの子機通話部１０２までの通話路が形成され、形成された通話路を経由して音声信号を送受信することにより、親機２ａを使用して所定の応答操作を行った居住者にとっては、親機モニタ２００に出画されている来訪者の映像を確認しながら通話を成立させることができる。
【００４６】
また、例えば、３階建ての２世帯住宅やオフィス等の住戸内の１階部に居る居住者が、第１の増設親機３ａの増設操作部３０２を使用して所定の応答操作を行うと、この操作を検出した第１の増設親機３ａの増設制御部３１１（及び親機２ａの親機制御部２０９）の制御により、居住者が使用する増設通話部３０１から増設ハイブリッド回路３０８、増設フィルタ回路３０９、増設ライン接続端子３０３、第１の親機／増設ラインＬ2a、親機２ａの親機ライン接続端子２０３ａ、第１の親機フィルタ回路２０８ａ、親機ハイブリッド回路２０７、親機Ｉ／Ｆ２１０、子機／親機ラインＬ1aを順次経由して図１（Ａ）に示す子機１ａの子機通話部１０２までの通話路が形成され、形成された通話路を経由して音声信号を送受信することにより、第１の増設親機３ａを使用して所定の応答操作を行った居住者にとっては、増設モニタ３００に出画されている来訪者の映像を確認しながら通話を成立させることができる。
【００４７】
さらに、例えば、３階建ての２世帯住宅やオフィス等の住戸内の３階部に居る居住者が、第２の増設親機３ｂの増設操作部３０２を使用して所定の応答操作を行うと、この操作を検出した第２の増設親機３ｂの増設制御部３１１（及び親機２ａの親機制御部２０９）の制御により、居住者が使用する増設通話部３０１から増設ハイブリッド回路３０８、増設フィルタ回路３０９、増設ライン接続端子３０３、第２の親機／増設ラインＬ2b、親機２ａの親機ライン接続端子２０３ｂ、第２の親機フィルタ回路２０８ｂ、親機ハイブリッド回路２０７、親機Ｉ／Ｆ２１０、子機／親機ラインＬ1aを順次経由して図１（Ａ）に示す子機１ａの子機通話部１０２までの通話路が形成され、形成された通話路を経由して音声信号を送受信することにより、第２の増設親機３ｂを使用して所定の応答操作を行った居住者にとっては、増設モニタ３００に出画されている来訪者の映像を確認しながら通話を成立させることができる。
【００４８】
なお、親機２ａの親機ハイブリッド回路２０７及び第１、第２の各増設親機３ａ、３ｂの増設ハイブリッド回路３０８はそれぞれ、前述の各種データ信号（確認用データ信号／設定状況データ信号／呼出用データ信号）の送受信をハイ・インピーダンスで行うため、前述のようなバス形式の信号伝送を正常に動作させることができる。また、親機２ａにおいて、第１、第２の各映像出力回路２０５ａ、２０５ｂから第１、第２の各親機ライン接続端子２０３ａ、２０３ｂに映像信号を送出するにあたり、この映像信号は第１、第２の各親機フィルタ回路２０８ａ、２０８ｂの制御により相互干渉で親機ハイブリッド回路２０７にフィードバックされることはなく、前述の各種データ信号（確認用データ信号／設定状況データ信号／呼出用データ信号）や音声信号の送受信を行う動作に何ら影響を与えず、正常な動作が可能となる。
【００４９】
前述までの説明から明らかなように、本発明の第１の実施例において親機２ａ及び第１、第２の各増設親機３ａ、３ｂの間の配線は、個別のラインである第１、第２の各親機／増設ラインＬ2a、Ｌ2bのように渡り配線と比較して線路長が短く当該配線の自由度が高められ、その施工性も向上するばかりでなく、各種のデータ信号（確認用データ信号／設定状況データ信号／呼出用データ信号）や音声信号の送受信動作のみならず、映像信号の送信動作に何ら影響を与えずに対ノイズ性が高められる。
【００５０】
次に、前述までの第１の実施例と同様な効果を奏する別途の実施例である本発明の第２の実施例によるインターホンシステムについて、図面を参照して説明する。
【００５１】
図１（Ｂ）は、本発明の第２の実施例によるインターホンシステムの全体構成を示すシステム構成図であり、複数の子機（以下、第１、第２の各子機という。）１ａ、１ｂと、個別の子機／親機ライン（以下、第１、第２の各子機／親機ラインという。）Ｌ1a、Ｌ1bを経由して第１、第２の各子機１ａ、１ｂに接続される親機２ｂと、個別のラインを経由して親機２ｂにスター配線で接続される複数の当該増設親機、ここでは、前述の第１の実施例と同様、第１、第２の各親機／増設ラインＬ2a、Ｌ2bを経由して親機２ｂにスター配線で接続される第１、第２の各増設親機３ａ、３ｂとが設けられている。
【００５２】
なお、第１、第２の各子機１ａ、１ｂは、３階建ての２世帯住宅やオフィス等の住戸において複数の異なる住戸玄関毎に設置されるものであり、前述の第１の実施例に適用された子機１ａと同様、子機操作部１００、カメラ１０１及び子機通話部１０２を有している。また、第１、第２の各増設親機３ａ、３ｂは、前述の第１の実施例で適用された当該増設親機と同様な構成であり、図３のブロック図に示すように、増設モニタ３００、増設通話部３０１、増設操作部３０２、増設ライン接続端子３０３、３０４、映像受信回路３０５、増設映像復調回路３０６、増設データ送受信回路３０７、増設ハイブリッド回路３０８、増設フィルタ回路３０９、終端抵抗設定回路３１０及び増設制御部３１１が備えられている。
【００５３】
図３に示す親機２ｂには、前述の第１の実施例で適用された親機２ａを構成する親機モニタ２００、親機通話部２０１、親機操作部２０２、第１、第２の各親機ライン接続端子２０３ａ、２０３ｂ、映像復調回路２０４、第１、第２の各映像出力回路２０５ａ、２０５ｂ、親機データ送受信回路２０６、親機ハイブリッド回路２０７、第１、第２の各親機フィルタ回路２０８ａ、２０８ｂ、親機制御部２０９及び親機Ｉ／Ｆ２１０と、映像切換回路２１１とが備えられている。
【００５４】
この親機２ｂにおいて、映像切換回路２１０は、親機制御部２０９により制御され、第１、第２の各子機１ａ、１ｂのカメラ１０１にて撮像・変調され、第１、第２の各子機／親機ラインＬ1a、Ｌ1b、親機Ｉ／Ｆ２１０を順次経由して伝送されてくる映像信号のうち何れか１の映像信号を選択して第１、第２の各映像出力回路２０５ａ、２０５ｂへの信号伝送路を形成するためのものである。
【００５５】
このように構成された本発明の第２の実施例によるインターホンシステムにおいて、以下、具体的な動作について説明する。なお、第２の実施例において、第１、第２の各増設親機３ａ、３ｂに接続される第１、第２の各親機／増設ラインＬ2a、Ｌ2bのインピーダンス整合を行う終端抵抗の設定について、親機２ｂにて確認する動作は、前述の第１の実施例と同様であるため、その説明は省略するものとする。
【００５６】
前述の第１の実施例と同様、当該システムの施工が正常に終了した後、住戸玄関に居る来訪者が住戸内に在室中の居住者を呼び出すにあたり、例えば、前述の第１の実施例と同様、図１（Ｂ）、図３に示す第１の子機１ａの子機操作部１００を使用して所定の呼出操作が行われ、これを検出した親機２ｂの親機制御部２０９及び第１、第２の各増設親機３ａ、３ｂの増設制御部３１０の制御により、来訪者による第１の子機１ａからの呼び出しがある旨の呼出報知が親機モニタ２００及び親機通話部２０１、増設モニタ３００及び増設通話部３０１を使用して行われた呼出時において、別途の当該子機である第２の子機１ｂの子機操作部１００を使用して所定の呼出操作が行われると、これを検出した親機２ｂの親機制御部２０９及び第１、第２の各増設親機３ａ、３ｂの増設制御部３１０の制御により、来訪者による子機１ｂからの呼び出しがある旨の呼出報知が親機モニタ２００及び親機通話部２０１、増設モニタ３００及び増設通話部３０１を使用して行われる。具体的には、親機モニタ２００、増設モニタ３００にそれぞれ表示させる呼出メッセージや、親機通話部２００、増設通話部３００をそれぞれ構成するスピーカから出力させる呼出音や音声メッセージが該当する。
【００５７】
また、親機２ｂの親機制御部２０９の制御により能動となる第１、第２の各玄関子機１ａ、１ｂのカメラ１０１は、呼出操作を行った来訪者や住戸玄関の周囲近傍の映像の撮像を開始し、変調された映像信号を生成する。この映像信号は、第１、第２の各子機１ａ、１ｂから第１、第２の各子機／親機ラインＬ1a、Ｌ1b、親機２ｂの親機Ｉ／Ｆ２１０を経由して親機映像復調回路２０４に伝送され復調した後、親機モニタ２００に出画、例えば、分割表示されるとともに、同親機Ｉ／Ｆ２１０から映像切換回路２１１に送出される。
【００５８】
ここで、親機２ｂの映像切換回路２１１は、例えば、親機２ｂのユーザー（である居住者）による親機操作部２０１を使用した所定の選択操作、或いは第１、第２の各増設親機３ａ、３ｂのユーザー（である居住者）による増設操作部３０２を使用した所定の選択操作を検出した親機制御部２０９により制御され、親機Ｉ／Ｆ２１０から第１、第２の各映像出力回路２０５ａ、２０５ｂへの信号伝送路を切り換えることができる。
【００５９】
具体的に、図１（Ｂ）に示す第１の子機１ａからの映像信号を第１の増設親機３ａにのみ伝送させる一方、第２の子機１ｂからの映像信号を第２の増設親機３ｂにのみ伝送させる制御が行われた場合には、第１の子機１ａのカメラ１０１にて撮像・変調された映像信号は、第１の子機／親機ラインＬ1a、親機２ｂの親機Ｉ／Ｆ２１０、映像切換回路２１１、第１の映像出力回路２０５ａ、第１の親機ライン接続端子２０３ａ、第１の親機／増設ラインＬ2a、第１の増設親機３ａの増設ライン接続端子３０３、映像受信回路３０５を経由して増設映像復調回路３０６にて受信され復調した後、増設モニタ３００に出画されることになる。一方、第２の玄関子機１ｂのカメラ１０１にて撮像・変調された映像信号は、第２の子機／親機ラインＬ1b、親機２ｂの親機Ｉ／Ｆ２１０、映像切換回路２１１、第２の映像出力回路２０５ｂ、第２の親機ライン接続端子２０３ｂ、第２の親機／増設ラインＬ2b、第２の増設親機３ｂの増設ライン接続端子３０３、映像受信回路３０５を経由して増設映像復調回路３０６にて受信され復調した後、増設モニタ３００に出画されることになる。
【００６０】
前述までの説明から明らかなように、本発明の第２の実施例によれば、第１、第２の各子機１ａ、１ｂのカメラ１０１にて撮像され、第１、第２の各増設親機３ａ、３ｂの増設モニタ３００に出画される映像信号の選択が可能となり、その映像信号に基づき来訪者を判別する居住者にとっての利便性が高められる。
【００６１】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【００６２】
具体的に、本発明の第１、第２の各実施例によれば、親機２ａ、２ｂに個別のラインを経由してスター配線で接続される複数の増設親機として、２台の増設親機３ａ、３ｂを適用したが、この台数に限定されるものではなく、より複数台の当該増設親機を適用することもでき、また増設親機３ａ、３ｂの下流側には、終端機器としての当該増設親機をライン接続することもでき、多種・多様な住宅の形態に対応することが可能となる。
【００６３】
また、本発明の第１（、第２）の実施例によれば、複数の機器間で音声信号を送受信して通話を成立させる動作として、来訪者による子機１ａからの呼び出しがあることを当該来訪者の判別と併せて確認できた居住者が親機２、第１、第２の各増設親機３ａ、３ｂのうち何れか１の当該機器を使用して所定の応答操作を行い、来訪者との間で通話を成立させる場合について説明したが、この通話の形態に限定されるものではない。
【００６４】
例えば、第１、第２の各親機２ａ、２ｂ及び第１、第２の各増設親機３ａ、３ｂには内線呼び出し・通話機能を備えることもできる。この態様において、特定の親機及び増設親機間で各種のデータ信号や音声信号の送受信動作を行うにあたっても、対ノイズ性が高められることになる。
【００６５】
さらに、本発明の第２の実施例によれば、第１、第２の各子機１ａ、１ｂのカメラ１０１にて映像を撮像するタイミングを、来訪者による呼出時として説明したが、これに限定されるものではない。例えば、住戸内に在室中の居住者が住戸外の様子を映像でモニタ監視する監視時のような任意のタイミングであってもよい。
【符号の説明】
【００６６】
１ａ、１ｂ……子機（第１、第２の各子機）
１０１……カメラ
１０２……子機通話部
２ａ、２ｂ……親機
２００……親機モニタ
２０２……親機通話部
２０３ａ、２０３ｂ……親機ライン接続端子（第１、第２の各親機ライン接続端子）
２０５ａ、２０５ｂ……映像出力回路（第１、第２の各映像出力回路）
２０８ａ、２０８ｂ……フィルタ回路（第１、第２の親機フィルタ回路）
２０９……親機制御部
２１１……映像切換回路
３ａ、３ｂ……増設親機（第１、第２の各増設親機）
３００……増設モニタ
３０２……増設通話部
３０３、３０４……増設ライン接続端子
３１０……終端抵抗設定回路
Ｌ2a、Ｌ2b……個別のライン（第１、第２の各親機／増設ライン）
【図１】
2011055059.tif 000003
【図２】
2011055059.tif 000004
【図３】
2011055059.tif 000005
【図４】
2011055059.tif 000006